(57)【要約】【課題】輝度の低下を招くことなく、強度の向上を図ることが可能な導光板ユニットを提供する。【解決手段】導光板ユニット１０は、一側面に配置された線状光源装置２１からの光を案内して、照明光として主発光面Ｓ２から出射する導光板１１と、導光板１１からの照明光の光学特性を調整する拡散シート１３１、第１プリズムシート１３２、および第２プリズムシート１３３などの調光シート１３を保持するケース枠１２とを備え、導光板１１の周囲に、白色系樹脂を用いてケース枠１２がダブルモールドで成形されている。【選択図】図１
2008084714.tif 000002
【特許請求の範囲】
【請求項１】
少なくとも一側面に配置された光源からの光を案内して、照明光として主発光面から出射する導光板と、前記導光板からの照明光の光学特性を調整する調光シートを保持するケース枠とを備えた導光板ユニットであって、
前記導光板の周囲に、前記ケース枠がダブルモールドで一体的に成形されていることを特徴とする導光板ユニット。
【請求項２】
前記ケース枠は、白色系樹脂で形成されていることを特徴とする請求項１記載の導光板ユニット。
【発明の詳細な説明】
【技術分野】
【０００１】
本発明は、一側面に配置された光源からの光を案内して、照明光として主発光面から出射する導光板と、導光板からの照明光の光学特性を調整する調光シートを保持するケース枠とを備えた導光板ユニットに関する。
【背景技術】
【０００２】
導光板ユニットは、導光板の一側面に配置された光源から光を主発光面から出射し、拡散シートや、プリズムシートなどの光学特性を調整する調光シートを介在させて、ＬＣＤ（Liquid Crystal Display）などの表示パネルの視認性を向上させている。
【０００３】
このような導光板ユニットとして特許文献１に記載されたものがある。特許文献１に記載の電子機器は、内部部品を保持するＬＣＤ下カバー、およびＬＣＤ上カバーと、バックライトの光源として機能するＬＥＤ基板と、ＬＥＤの光をＬＣＤモジュールの裏面に導き発光させるための導光板と、導光板の上面に配設され、導光板から発光された光を拡散させ均一に発光させるための拡散シートとが設けられた表示ユニットを備えたものである。
【０００４】
従来の導光板ユニットを、図６に基づいて説明する。図６に示す従来の導光板ユニット２０は、例えば、携帯電話装置の表示画面に用いられるもので、一側面に線状光源装置２１が反射フィルム２２と共に配置された導光板２３と、ケース枠２４とを備え、導光板２３をケース枠２４に嵌め込むように配置されている。そして、このケース枠２４の導光板２３の上面には、光学特性を調整する調光シート１３である拡散シート１３１と、第１プリズムシート１３２と、第２プリズムシート１３３とが配置されている。また、調光シート１３の上面には、照光領域を囲うように黒枠が印刷された遮光シート１４が設けられている。また、導光板２３の裏面側には反射シート１５が配置されている。
【特許文献１】特開２００２−９０７３５号公報
【発明の開示】
【発明が解決しようとする課題】
【０００５】
図６に示す携帯電話装置などに用いられる従来の導光板ユニット２０では、導光板２３がケース枠２４に嵌め込まれた状態で取り付けられているので、落下の衝撃や、粗雑な取扱いで、導光板２３がケース枠２４から外れるおそれがある。例えば、携帯電話装置などは、常に利用者が持ち歩き、ポケットや鞄から取り出しては、通話やメールの送受信を行うものなので、大事に扱っていても、誤って携帯電話装置を落としたりぶつけたりしがちである。このような衝撃に耐えるために、接着剤で導光板とケース枠とを貼り付けることも考えられるが、接着剤を塗布する作業が煩雑であり、この作業の中で接着剤が調光シート側の主発光面や、反射シート側の反射面などに付着してしまうと、汚れとなって輝度が低下するおそれもある。
【０００６】
そこで本発明は、輝度の低下を招くことなく、強度の向上を図ることが可能な導光板ユニットを提供することを目的とする。
【課題を解決するための手段】
【０００７】
本発明の導光板ユニットは、一側面に配置された光源からの光を案内して、照明光として主発光面から出射する導光板と、前記導光板からの照明光の光学特性を調整する調光シートを保持するケース枠とを備えた導光板ユニットであって、前記導光板の周囲に、前記ケース枠がダブルモールドで一体的に成形されていることを特徴とする。
【発明の効果】
【０００８】
本発明は、接着剤を使用することなく、導光板とケース枠とが隙間なく密着した状態に形成することができるので、輝度の低下を招くことなく、強度の向上を図ることが可能である。
【発明を実施するための最良の形態】
【０００９】
本願の第１の発明は、少なくとも一側面に配置された光源からの光を案内して、照明光として主発光面から出射する導光板と、前記導光板からの照明光の光学特性を調整する調光シートを保持するケース枠とを備えた導光板ユニットであって、前記導光板の周囲に、前記ケース枠がダブルモールドで一体的に成形されていることを特徴としたものである。
【００１０】
本発明の導光板ユニットは、導光板の周囲に、ケース枠がダブルモールドで成形されているので、接着剤を用いることなく導光板とケース枠とを一体的に成形することで、導光板とケース枠とが隙間なく密着した状態に形成することができる。従って、落下などの衝撃でも導光板がケース枠から外れることがない。また、接着剤を使用する必要がないので光源からの光が接着剤で阻害されることもない。導光板とケース枠とを個々に作製して嵌め込むと、それぞれをクリアランスを確保した大きさに形成する必要があるので、導光板とケース枠との間には、僅かではあるが隙間ができてしまう。従って、導光板の周囲面から漏れ出た光が、この隙間の間で反射を繰り返して減衰してしまう。しかし、本発明の実施の形態に係る導光板ユニットは、導光板とケース枠とが隙間なく密着した状態なので、導光板の周囲面から漏れ出た光は、ケース枠によって反射されるので、反射効率の向上を図ることができる。
【００１１】
本願の第２の発明は、前記ケース枠は、白色系樹脂で形成されていることを特徴としたものである。
【００１２】
ケース枠を、白色系樹脂で形成することで、導光板の周囲面から漏れ出た光を、ケース枠によって効率よく反射することができるので、更に、反射効率の向上を図ることができる。
【００１３】
（実施の形態）
本発明の実施の形態に係る導光板ユニットの構成を、図面に基づいて説明する。図１は、本発明の実施の形態に係る導光板ユニットの分解斜視図である。図２は、導光板とケース枠とを示す斜視図である。
【００１４】
図１および図２に示すように、導光板ユニット１０は、線状光源装置２１が反射フィルム２２と共に配置される導光板１１と、導光板１１の周囲を囲うように形成されたケース枠１２と、調光シート１３と、遮光シート１４と、反射シート１５とを備えている。
【００１５】
導光板１１は、例えば、アクリル樹脂やポリカーボネート樹脂によって０．３〜０．６ｍｍ程度の厚みに形成された透明または半透明の樹脂の板である。この導光板１１には、線状光源装置２１を側面に配置したときに、効率よく線状光源装置２１からの光を入射させて内部へ案内するための導光部１１１が線状光源装置２１側に、側面に沿って設けられている。
【００１６】
ケース枠１２は、導光板１１を囲う額縁部１２１と、額縁部１２１に沿って立設された周壁部１２２とを備えており、導光板１１と同様の材質のもので、白色系樹脂で形成されている。本実施の形態では、ケース枠１２は、白色としている。ケース枠１２の額縁部１２１および周壁部１２２には、調光シート１３および遮光シート１４を配置するときの位置合わせのために、額縁凹部１２１ａや、周壁凹部１２２ａや、切欠部１２２ｂなどが設けられている。
【００１７】
導光板１１とケース枠１２とは、まず導光板１１を１次モールドで成形した後に、ケース枠１２を象ったキャビティが形成された金型で、導光板１１を型締めして導光板１１の側面の周囲にケース枠１２を成形する２次モールドを施すダブルモールドにより成形することで、一体的に形成されている。
【００１８】
調光シート１３は、拡散シート１３１と、第１プリズムシート１３２と、第２プリズムシート１３３とを備えている。拡散シート１３１は、ポリエステル（ＰＳ）樹脂や、ポリカーボネート（ＰＣ）樹脂で表面がすりガラスのように粗面に形成されたものである。第１，第２プリズムシート１３２，１３３は、ポリエステル樹脂の表面にアクリル樹脂からなる三角条が形成されたプリズム面を有している。このプリズム面は断面視で鋸歯形状に形成されている。第１，第２プリズムシート１３２，１３３は、条方向が互いに略直交する向きに重なるように配置されている。
【００１９】
遮光シート１４は、導光板１１全体の他に、線状光源装置２１を覆うように形成され、ている。遮光シート１４には、照光領域を囲うように黒枠１４１が印刷されている。
【００２０】
調光シート１３および遮光シート１４には、額縁凹部１２１ａや、周壁凹部１２２ａや、切欠部１２２ｂなどに嵌合する凸部１３ａ，１４ａが形成されている。
【００２１】
反射シート１５は、導光板１１の底面からの光を、導光板１１側へ反射させる機能を有している。反射シート１５としては、ポリエステル系樹脂を用いた多層膜構造により、可視光範囲において高い反射率を有するＥＳＲ（Enhanced Specular Reflector）などが使用できる。
【００２２】
ここで、光源である線状光源装置２１について、図３に基づいて説明する。図３は、図１に示す線状光源装置２１を裏側から見た斜視図である。
【００２３】
図３に示すように、線状光源装置２１は、細長い角棒状の配線基板２１１上に、光源としての複数の発光素子２１２が所定の間隔をおいて並設されたものである。各発光素子２１２の両側には、反射板２１３が設けられている。この両側の反射板２１３によってできる凹部には、光透過性の樹脂封止部２１４が形成されている。この樹脂封止部２１４には、発光素子２１２からの光により励起されて光の波長を変換する蛍光体が含有されていてもよい。配線基板２１１の発光素子２１２が搭載されている面とは反対側となる面、つまり、配線基板２１１の裏面には、フレキシブル基板２１５の接続端子と導通接続するための電源端子２１６が複数箇所に設けられている。
【００２４】
この線状光源装置２１は、図２に示すように、導光板１１の導光部１１１と、ケース枠１２との間に配置されることで、光入射面Ｓ１へ向かって光を出射することができる。
【００２５】
以上のように構成される本発明の実施の形態に係る導光板ユニットの使用状態を、更に図４および図５を参照しながら説明する。図４は、本発明の実施の形態に係る導光板ユニットの使用状態を示す要部拡大断面図である。図５は、従来の導光板ユニットの使用状態を示す要部拡大断面図である。
【００２６】
線状光源装置２１から出射された光は、導光板１１の側面である導光部１１１の光入射面Ｓ１から入射される。入射した光は、導光板１１の主発光面Ｓ２から直接出射したり、一端反射シート１５で反射して主発光面Ｓ２から出射したりする。また、反射シート１５により反射した光が、主発光面Ｓ２で更に反射して導光板１１の奥側方向へ進行して主発光面Ｓ２から出射する。更に、導光板１１の導光部１１１を除く周囲面に到達した光は、ケース枠１２に反射して戻り光となって導光板１１内へ入射する。
【００２７】
このときに、図４に示すように、導光板１１とケース枠１２とは、隙間なく密着した状態なので、導光板１１の周囲面から漏れ出た光は、隙間によって屈折して減衰することなく白色のケース枠１２によって確実に反射される。従って、反射効率の向上を図ることができる。
【００２８】
例えば、図５に示すように、従来の導光板ユニットでは、必要に応じて導光板２３に、ケース枠２４に対しての位置合わせと嵌合とを目的として、導光板２３の側面に爪部２３ａが設けられていることがある。導光板２３に爪部２３ａが設けられていると、導光板２３内を進行する光が、この爪部２３ａから漏れてしまい、主発光面Ｓ２から出射せず、輝度の低下を招いてしまう。また、導光板２３とケース枠２４とは、個々に作製されているので、それぞれにはクリアランスを確保した大きさに作製する必要がある。従って、導光板２３とケース枠２４との間に隙間が生じ、この隙間で反射を繰り返すうちに、減衰してしまい、減衰した状態の光が戻り光となったり、戻り光が得られなかったりする。しかし、本実施の形態に係る導光板ユニット１０では、導光板１１とケース枠１２とが隙間なく密着した状態で形成されているので、導光板１１の側面からの光が無駄となることがない。
【００２９】
このように、導光板１１とケース枠１２とがダブルモールドによって一体的に形成されることで、反射効率の向上を図ることができる。また、落下などの衝撃でも導光板がケース枠から外れることがないので、導光板ユニット１０を組み込んだ装置を安心して扱うことができる。
【産業上の利用可能性】
【００３０】
本発明は、輝度の低下を招くことなく、強度の向上を図ることが可能なので、一側面に配置された光源からの光を案内して、照明光として主発光面から出射する導光板と、導光板からの照明光の光学特性を調整する調光シートを保持するケース枠とを備えた導光板ユニットに好適である。
【図面の簡単な説明】
【００３１】
【図１】本発明の実施の形態に係る導光板ユニットの分解斜視図
【図２】導光板とケース枠とを示す斜視図
【図３】図１に示す線状光源装置を裏側から見た斜視図
【図４】本発明の実施の形態に係る導光板ユニットの使用状態を示す要部拡大断面図
【図５】従来の導光板ユニットの使用状態を示す要部拡大断面図
【図６】従来の導光板ユニットの分解斜視図
【符号の説明】
【００３２】
１０  導光板ユニット
１１  導光板
１１１  導光部
１２  ケース枠
１２１  額縁部
１２１ａ  額縁凹部
１２２  周壁部
１２２ａ  周壁凹部
１２２ｂ  切欠部
１３  調光シート
１３ａ  凸部
１４  遮光シート
１４ａ  凸部
１５  反射シート
Ｓ１  光入射面
Ｓ２  主発光面
【図１】
2008084714.tif 000003
【図２】
2008084714.tif 000004
【図３】
2008084714.tif 000005
【図４】
2008084714.tif 000006
【図５】
2008084714.tif 000007
【図６】
2008084714.tif 000008